(57)【特許請求の範囲】
【請求項１】
部品と、要素を前記部品のボア内に保持するために前記部品の前記ボア内に配置されることが意図される軸方向リミットストップ装置とを含む、アセンブリであって、
−  前記軸方向リミットストップ装置は１つの部品であり、中心軸について回転の対称性を有し且つ近位端と遠位端との間で前記中心軸に沿って延びる環状リングを含み、
−  前記軸方向リミットストップ装置は、前記環状リングの前記遠位端に接合される第１の端と第２の自由端との間で円弧において展開する、少なくとも１つの角度部分を含み、
−  前記角度部分は、突出位置に恒久的に弾性的に戻される、少なくとも１つの突起位置と引込位置との間で、前記中心軸に対して垂直な横断平面において、その第１の端から少なくとも部分的に移動可能であり、
−  前記引込位置において、前記角度部分は、前記環状リングの外側円筒形表面に続くシリンダの容積内に含められ、
−  前記突出位置において、前記角度部分の前記第２の自由端は、前記環状リングの前記外側円筒形表面に続く前記シリンダの前記容積を越えて径方向に延び、
−  前記部品ボアは、入口オリフィスを備える近位端と遠位端との間で第１の長手軸に沿って延び、その中心軸が前記第１の長手軸と同軸な状態で向けられる前記軸方向リミットストップ装置を受け入れることが意図され、
−  前記部品ボアは、前記部品ボアの前記入口オリフィスから延びる第１の部品ボア部分と、該第１の部品ボア部分から続いて前記部品ボアの前記遠位端に向かって延びる第２の部品ボア部分とを含み、
−  前記第１の部品ボア部分は、前記環状リングの外径と等しいか或いはそれよりも僅かに大きい直径を備える円形断面を有し、
−  前記第２の部品ボア部分は、前記第１の部品ボア部分の円筒形表面に続く前記シリンダの前記容積から出て前記第１の長手軸に対して径方向に延びる、少なくとも１つの保持シートを有し、該保持シートは、前記突出位置において、前記軸方向リミットストップ装置の少なくとも１つの角度部分を受け入れることができ、
−  前記保持シートは、前記第１の長手軸に対して実質的に垂直な横断平面に沿って延び且つ前記第１の部品ボア部分の円筒形側壁に繋がる、近位保持面を有し、
−  前記第２の部品ボア部分は、前記第１の部品ボア部分の前記円筒形側壁の続きにおいて延びる側面の少なくとも１つの角度部分を有することを特徴とする、
アセンブリ。
【請求項２】
前記少なくとも１つの角度部分は、前記中心軸と平行に延びるスペーサによって、前記中心軸に沿って、前記環状リングの前記遠位端から離間して維持されることを特徴とする、請求項１に記載のアセンブリ。
【請求項３】
前記中心軸に対して垂直に、前記少なくとも１つの角度部分は、その第１の端からその第２の自由端に向かって減少する厚さを有する、請求項１に記載のアセンブリ。
【請求項４】
前記環状リングが前記中心軸についての回転において駆動させられるのを可能にする凹みが、前記環状リングの前記近位端の面に形成されることを特徴とする、請求項１に記載のアセンブリ。
【請求項５】
前記凹みは、２つの正反対のノッチを有することを特徴とする、請求項４に記載のアセンブリ。
【請求項６】
前記軸方向リミットストップ装置は、同じ横断平面内を移動可能な２つの角度部分を有することを特徴とする、請求項１に記載のアセンブリ。
【請求項７】
−  前記第２の部品ボア部分は、複数の保持シートを有し、
−  各保持シートは、前記第１の部品ボア部分の前記円筒形側壁の続きにおいて延びる前記第２の部品ボア部分の前記側面の角度部分によって、隣接する保持シートから分離されることを特徴とする、
請求項１に記載のアセンブリ。
【請求項８】
前記部品は、貫通固定される多数の義歯であることを特徴とする、請求項１に記載のアセンブリ。
【請求項９】
−  前記貫通固定される多数の義歯は、人工器官回廊に沿って延び、
−  前記少なくとも１つの保持シートは、前記人工器官回廊に実質的に沿って、前記第１の長手軸に対して径方向に延びることを特徴とする、
請求項８に記載のアセンブリ。
【請求項１０】
請求項１に記載のアセンブリの部品の前記ボア内に前記軸方向リミットストップ装置を取り付けるための取付け工具であって、
−  当該取付け工具は、遠位オリフィスと近位オリフィスとの間で第２の長手軸に沿って延びる中心ボアを備える管状スリーブを有し、
−  前記管状スリーブの前記中心ボアは、前記遠位オリフィスから延びる管状スリーブ遠位ボア部分と、該管状スリーブ遠位ボア部分から続いて前記近位オリフィスに向かって延びる管状スリーブ中間ボア部分と、該管状スリーブ中間ボア部分から続いて前記近位オリフィスまで延びる管状スリーブ近位ボア部分とを有し、
−  前記管状スリーブ中間ボア部分は、前記環状リングの外径と等しい或いはそれよりも僅かに大きい直径を備える円形断面を有し、
−  前記管状スリーブ遠位ボア部分は、前記管状スリーブ中間ボア部分の前記円筒形表面に続く前記シリンダの前記容積から前記第２の長手軸に対して径方向に延びる、少なくとも１つの保持シートを有し、該保持シートは、前記突出位置において、前記軸方向リミットストップ装置の少なくとも１つの角度部分を受け入れることができ、
−  前記保持シートは、前記第２の長手軸に対して実質的に垂直な横断平面に沿って延び且つ前記管状スリーブ中間ボア部分の円筒形側壁に繋がる、近位保持面を有し、
−  前記管状スリーブ遠位ボア部分は、前記管状スリーブ中間ボア部分の前記円筒形側壁の続きにおいて延びる側面を備える少なくとも１つの角度部分を有することを特徴とする、
取付け工具。
【請求項１１】
−  前記管状スリーブ遠位ボア部分は、複数の保持シートを有し、
−  各保持シートは、前記管状スリーブ中間ボア部分の前記円筒形側壁の続きにおいて延びる前記管状スリーブ遠位ボア部分の前記側面の角度部分によって、隣接する保持シートから分離されることを特徴とする、
請求項１０に記載の取付け工具。
【請求項１２】
−  当該取付け工具は、前記管状スリーブ中間ボア部分の前記直径と実質的に等しい直径の外側円形断面を有する遠位部分を備える、第３の長手軸に沿って延びる長手シャフトを有し、
−  前記長手シャフトの前記遠位部分は、前記第２の長手軸に沿う前記管状スリーブ中間ボア部分及び前記管状スリーブ遠位ボア部分の長さの合計よりも大きい長さだけ、前記第３の長手軸に沿って延び、
−  前記長手シャフトの前記遠位部分は、自由端に、前記環状リングの前記近位端を圧迫することが意図される遠位面を有し、
−  前記長手シャフトの前記遠位部分の前記遠位面は、前記環状リングをその中心軸についての回転において駆動させるために、前記環状リングの前記近位端の面に形成される隆起領域を有することを特徴とする、
請求項１０に記載の取付け工具。
【発明の詳細な説明】
【技術分野】
【０００１】
本発明は、部品と、要素を部品のボア内に保持するために部品のボア内に配置されることが意図される軸方向リミットストップ装置とを含む、アセンブリに関する。本発明の使用の分野は、特に歯科であり、その目的は、歯科インプラントに取り付けられることが意図される義歯(dental  prosthesis)のボア内に貫通固定ネジ(transfixing  screw)を保持することである。
【背景技術】
【０００２】
特許文献１は、歯科インプラントに取り付けられ且つ固定されることが意図される歯科アバットメント(dental  abutment)を開示しており、歯科インプラント自体は、患者の上顎骨又は下顎骨内に挿入されることが意図される。次に、歯科アバットメントは、セラミック又は金属で作製される最終的な義歯を受け入れる。歯科アバットメントは、軸方向リミットストップ装置を配置する連続的なボアを有し、軸方向リミットストップ装置は、アバットメントのボア内に捕らえられて保持されるネジの軸方向保持を保証することが意図される。ネジのネジ山付きシャンク部分は、歯科インプラントの内ネジ山付きボア内に螺入することによって受け入れられることが意図される。歯科アバットメントは、歯科アバットメントを貫通する固定手段（具体的にはネジ）によって歯科インプラントに固定され、それ故、「貫通固定される歯科アバットメント」(“transfixed  dental  abutment”)と表現され、より一般的には、「貫通固定される部品」(“transfixed  component”)と表現される。軸方向リミットストップ装置は、径方向スリット付きリングを有し、リングは、ネジ頭部の下に並びにアバットメントを通じて延びるボア内に形成される環状溝内に同時に係合する。
【０００３】
過剰なネジ込みトルクがネジに与えられる事態において、ネジは、特にそのシャンクの領域に侵入することによって、損傷を被ることがある。その場合には、新しいネジをそこに挿入し得るよう、アバットメントの連続的なボア内のネジの残骸を除去することが望ましい。しかしながら、残念なことに、特許文献１のスリット付きリングは、主として問題の部品（歯科アバットメント及びスリット付きリング）の極めて小さい寸法の故に、除去するのが困難であり、不可能でさえある。よって、ネジに対する如何なる損傷も、歯科アバットメントを使用不能にさせる。その場合、開業医は傷のないネジを備える新しい歯科アバットメントを使用することを余儀なくされる。
【０００４】
新しい歯科アバットメントを頼りにすること自体は、大きな不便ではない。なぜならば、それはその形状が各患者に適合されない部品であり、開業医が幾つかのモデルを有する部品だからである。よって、標準的で素早い交換が可能である。
【０００５】
長年に亘って、患者の上顎骨又は下顎骨内に挿入される歯科インプラントに最終的な義歯を取り付け且つ固定するための歯科アバットメントを用いずに何とかすることによって、部品の数を制限することが探究されている。そうするために、最終的な義歯に形成されるボア内に直接的にネジを挿入することが提案されている。固定ネジは、ネジを保持する（殆どの場合において歯と斜めに交差する）ボアと連絡するアクセス井戸を経由してネジ頭部にアクセスするネジ込み工具を用いて回転において推進させられ得る。多くの場合には、これらの義歯を「貫通固定される義歯」と呼ぶ。なぜならば、それらが固定されるとき、ネジ込み工具及びネジはそれらを完全に通じるからである。しかしながら、ネジに対する損傷の事態においては、歯科アバットメントについて上述したのと同じように、ネジの残骸をボアから除去するのは同様に不可能である。よって、ネジに対する損傷は、最終的な人工器官(prosthesis)を使用不能にさせる。しかしながら、最終的な人工器官の外形は、長々しく困難であることが多いプロセスによって、各患者のために特異に構成される。その場合、開業医は新しい最終的な義歯を製造することを余儀なくされ、それは多くの時間を要し且つ高価である。
【０００６】
この問題は、複数の歯科インプラント上に受け入れられることが意図される、そして、この目的のために、複数の捕捉性のネジを有する、貫通固定される多数の義歯の場合にはより一層重大である。即ち、ネジのうちの１つに対する損傷は、人工器官全体を使用不能にさせる。
【０００７】
特許文献２は、中心軸についての回転の対称性を備える環状リングを記載しており、突出位置に恒久的に弾性的に戻される、少なくとも１つの突出位置と引込位置との間で、中心軸に対して垂直な横断平面において径方向に移動可能である、それぞれの自由端を備える２つの角度円弧部分を含む。この環状リングは、ワッシャのボア内に配置されるラチェット型の係止ナットを形成するために用いられる。環状リングがワッシャのボア内に受け入れられるとき、溶接によって取り付けられる任意的な舌部は、組み立てられた環状リングが、ワッシャ内に明らかに保持されるのを可能にする。そうするために、舌部は環状リングの下に恒久的に位置し、並進によるワッシャからのリングの如何なる取外しにも抗し、それらはワッシャに対する環状リングの回転位置に拘わらずにこれを行う。
【０００８】
特許文献３は、人工器官大腿骨ステムの形態における整形外科インプラントにおいて使用される軸方向に圧縮可能な係止ナットを記載している。
【先行技術文献】
【特許文献】
【０００９】
【特許文献１】欧州特許出願公開第０８０１５４４号明細書
【特許文献２】国際公開第２０１２／０３７０１４Ａ２号
【特許文献３】欧州特許出願公開第１０６０７１６Ａ２号明細書
【発明の概要】
【発明が解決しようとする課題】
【００１０】
本発明が取り組む課題は、部品と、要素を部品のボア内に確実に保持するために部品のボア内に配置されることが意図される軸方向リミットストップ装置とを含むが、軸方向リミットストップ装置は、要素が損傷を被る事態において要素の除去を許容するために容易に取り外し可能である、アセンブリを利用可能にすることである。
【００１１】
他の特徴によれば、本発明は、部品と、部品のボア内に取り外し可能に取り付けられることが意図される軸方向リミットストップ装置とを含む、アセンブリであって、部品は、特に義歯の場合におけるように、極めて小さい寸法を有する、アセンブリを利用可能にすることを目的とする。
【課題を解決するための手段】
【００１２】
これらの目的及び他を達成するために、本発明は請求項１に従ったアセンブリを提案する。
【００１３】
軸方向リミットストップ装置の少なくとも１つの角度部分（角張った部分）が引込位置にあるときに、部品ボアの遠位端の方向における第１の長手軸に沿う軸方向並進の簡単な動作によって、軸方向リミットストップ装置を部品ボアの第１の部分内に容易に挿入し得る。次に、軸方向リミットストップ装置を部品ボアの遠位端の方向において部品ボア内に更に少し推進させることによって、少なくとも１つの角度部分は、第２の部品ボア部分内に貫入し、第２の部品ボア部分の保持シートと一致するようになり、弾性的な戻りによって突出位置においてそこに係合し得る。部品ボアの入口オリフィスの方向における第１の長手軸に沿う軸方向の並進動作によって、軸方向リミットストップ装置をボアから引き抜く試みが行われるならば、少なくとも１つの角度部分は、保持シートの近位保持面を圧迫するようになり、この引抜きに抗する。よって、軸方向リミットストップ装置は、（ネジ及びネジ頭部）のような要素をボア内に捕らえて保持し得る。
【００１４】
ボア内に保持される要素が損傷させられ、部品から引き出されなければならない場合には、それでも、軸方向リミットストップ装置をボアから引き抜くのは依然として可能である。それを行うために、軸方向リミットストップ装置は、少なくとも１つの角度部分を、第１の部品ボア部分の円筒形側面の続きにおいて延びる第２の部品ボア部分の側面の角度部分に対して導くような方法において、ボアの第１の長手軸について回転させられる。よって、少なくとも１つの角度部分は、引込位置に戻されるので、その場合には、軸方向リミットストップ装置は、部品ボアの入口オリフィスの方向における第１の長手方向に沿う軸方向並進の簡単な動作によって、第１の部品ボア部分を介して、部品ボアから引き抜かれ得る。
【００１５】
有利には、少なくとも１つの角度部分は、中心軸と平行に延びるスペーサによって、中心軸に沿って、環状リングの遠位端から離間した状態に維持され得る。従って、突出位置への角度部分の弾性的な戻りは、環状リングの遠位端を擦る角度部分によって妨げられない。
【００１６】
好ましくは、中心軸に対して垂直に、少なくとも１つの角度部分は、その第１の端からその第２の自由端に向かって減少する厚さを有し得る。これは角度部分を引込位置に戻す角度部分の撓みによってスペーサと角度部分との間の接続の領域において誘発される応力を効果的に減少させる。これらの応力が高すぎるならば、それらは、特に小さな寸法の軸方向リミットストップ装置の場合に、それらの接続部付近で角度部分及び／又はアームを最終的に破壊し得る。
【００１７】
環状リングが中心軸についての回転において駆動させられるのを可能にする凹みを、環状リングの近位端面に有利に形成し得る。環状リングの近位端は、実際には、部品の外側から最も容易にアクセス可能な軸方向リミットストップ装置の部分である。
【００１８】
好ましくは、凹みは２つの正反対のノッチを含み得る。対称性を有する凹みは、軸方向リミットストップ装置をその中心軸についてより容易に回転させることを可能にする。
【００１９】
有利には、軸方向リミットストップ装置は、同じ横断平面内を移動可能な２つの角度部分を有し得る。
【００２０】
複数の角度部分の場合には、好ましくは、以下のこと、即ち、
−  第２の部品ボア部分は、複数の保持シートを有し、
−  各保持シートは、円筒形側面の続きにおいて延びる第２の部品ボア部分の側面の角度部分によって、隣接する保持シートから分離される、
ことをもたらし得る。
【００２１】
２つ又はそれよりも多くの角度部分をそれぞれの保持シート内に係入させることは、軸方向リミットストップ装置を部品内で軸方向においてより良好に保持することを可能にする。
【００２２】
第１の部品ボア部分の続きにおいて延び且つ隣接する保持シートを分離する第２の部品ボア部分の側面の角度部分は、軸方向リミットストップ装置が中心軸について回転において駆動させられるときに、角度部分の全てが同時に引込位置に戻されるのを可能にする。
【００２３】
軸方向リミットストップ装置の助けを得て、部品のボア内に配置されることが意図される要素は、
−  環状リングの内径以下の寸法を備える断面を有する要素の近位部分と、
−  環状リングの内径よりも大きいが、第１の部品ボア部分の直径以下である、少なくとも１つの寸法を有する断面を備える、遠位部分と、
−  要素の近位部分と遠位部分とを接続する肩部と、
を有利に有し得る。
【００２４】
よって、要素の近位部分は、部品のボアから突出するために、軸方向リミットストップ装置を貫通し得るのに対し、要素の遠位部分は、部品のボア内に保持されるために、肩部に軸方向に沿って、軸方向リミットストップ装置を圧迫する。
【００２５】
好ましくは、要素の円筒形ボア内に配置されることが意図される要素は、ネジであることができ、その頭部は、要素の遠位部分を構成し、そのネジ山付き部分は、要素の近位部分を構成する。
【００２６】
軸方向リミットストップ装置を部品のボア内に挿入することによって本発明に従ったアセンブリが組み立てられるのをより容易にするために、以下のこと、即ち、
−  管状スリーブが、遠位オリフィスと近位オリフィスとの間で第２の長手軸に沿って延びる中心ボアを備え、
−  管状スリーブの中心ボアは、遠位オリフィスから延びる管状スリーブ遠位ボア部分と、管状スリーブ遠位ボア部分から続いて近位オリフィスに向かって延びる管状スリーブ中間ボア部分と、管状スリーブ中間ボア部分から続いて近位オリフィスまで延びる管状スリーブ近位ボア部分とを有し、
−  管状スリーブ中間ボア部分は、環状リングの外径と等しい或いはそれよりも僅かに大きい直径を備える円形断面を有し、
−  管状スリーブ遠位ボア部分は、管状スリーブ中間ボア部分の円筒形表面に続くシリンダの容積から第２の長手軸に対して径方向に延びる、少なくとも１つの保持シートを有し、保持シートは、突出位置において、軸方向リミットストップ装置の少なくとも１つの角度部分を受け入れることができ、
−  保持シートは、第２の長手軸に対して実質的に垂直な横断平面に沿って延び且つ管状スリーブ中間ボア部分の円筒形側壁に繋がる、近位保持面を有し、
−  管状スリーブ遠位ボア部分は、管状スリーブ中間ボア部分の円筒形側面の続きにおいて延びる側面を備える少なくとも１つの角度部分を有する、
ことを備える取付け工具を用いることが可能である。
【００２７】
この種類の取付け工具は、軸方向リミットストップ装置がネジのような要素を義歯内に保持するために用いられる場合のように、軸方向リミットストップ装置が極めて小さい寸法を有するときに特に有用であることが分かった。
【００２８】
軸方向リミットストップ装置を部品のボア内に挿入するために、それは先ず管状スリーブ遠位ボア部分内に挿入される。そのときに突出位置にある、前記少なくとも１つの角度部分は、管状スリーブ遠位ボア部分内も受けられる少なくとも１つの保持シート内に係入される。軸方向リミットストップ装置を中心軸について回転することによって、次に、前記少なくとも１つの角度部分は、管状スリーブ近位ボア部分の円筒形側面の続きにおいて延びる側面の少なくとも１つの角度部分と一致させられる。よって、角度部分は引込位置に戻される。次に、管状スリーブの遠位オリフィスは、部品ボアの入口オリフィスの直ぐ近傍に導かれる。次に、その角度部分が引込位置にある、軸方向リミットストップ装置は、軸方向リミットストップ装置の角度部分が第２の部品ボア部分内に貫入して、弾性的な戻りによって突出位置においてそこに係合するために第２の部品ボア部分の保持シートと一致するようになるまで、第１の部品ボア部分内に係入されるために管状スリーブ遠位ボア部分から押し出される。
【００２９】
軸方向リミットストップ装置を管状スリーブ遠位ボア部分から押し出すために、長手シャフトを管状スリーブの近位オリフィスの方向から管状スリーブに貫通させ得る。
【００３０】
軸方向リミットストップ装置を部品ボアに係合させる前に、部品ボア内に保持されることが意図される要素を、部品ボア内に先ず係入させ得る。代替的に、部品ボア内に保持されることが意図される要素を軸方向リミットストップ装置と同時に部品ボア内に導入し得る。
【００３１】
好ましくは、以下のこと、即ち、
−  取付け工具は、遠位オリフィスと近位オリフィスとの間で第２の長手軸に沿って延びる中心ボアを備える管状スリーブを有し、
−  管状スリーブの中心ボアは、遠位オリフィスから延びる管状スリーブ遠位ボア部分と、管状スリーブ遠位ボア部分から続いて近位オリフィスに向かって延びる管状スリーブ中間ボア部分と、管状スリーブ中間ボア部分から続いて近位オリフィスまで延びる管状スリーブ近位ボア部分とを有し、
−  管状スリーブ中間ボア部分は、環状リングの外径と等しい或いはそれよりも僅かに大きい直径を備える円形断面を有し、
−  管状スリーブ遠位ボア部分は、管状スリーブ中間ボア部分の円筒形表面に続くシリンダの容積から第２の長手軸に対して径方向に延びる、少なくとも１つの保持シートを有し、保持シートは、突出位置において、軸方向リミットストップ装置の少なくとも１つの角度部分を受け入れることができ、
−  保持シートは、第２の長手軸に対して実質的に垂直な横断平面に沿って延び且つ管状スリーブ中間ボア部分の円筒形側壁に繋がる、近位保持面を有し、
−  管状スリーブ遠位ボア部分は、管状スリーブ中間ボア部分の円筒形側面の続きにおいて延びる側面を備える少なくとも１つの角度部分を有する、
ことをもたらし得る。
【００３２】
よって、長手シャフトは、同時に、以下のこと、即ち、
軸方向リミットストップ装置を第１の部品ボア部分内に係入させるために軸方向リミットストップ装置を管状スリーブ遠位ボア部分から押し出すこと、及び
角度部分を引込位置に導くために軸方向リミットストップ装置を管状スリーブ遠位ボア部分内で中心軸について回転させること、
に役立つ。
【００３３】
本発明の他の主題、構成及び利点は、添付の図面を参照して、特定の実施態様の後続の記述から明らかになるであろう。
【図面の簡単な説明】
【００３４】
【図１】本発明に従ったアセンブリの特定の実施態様において用いられることが意図される軸方向リミットストップ装置の実施例の斜視図である。
【図２】図１の方向とは異なる方向において見られるときの、図１の軸方向リミットストップ装置の他の斜視図である。
【図３】図１の軸方向リミットストップ装置の底面図である。
【図４】図１の軸方向リミットストップ装置の頂面図である。
【図５】図１の軸方向リミットストップ装置の底断面図である。
【図６】複数の歯科インプラントによって支持される貫通固定される多数の義歯の形態における部品の斜視図である。
【図７】図６の貫通固定される多数の義歯の頂面図である。
【図８】貫通固定される多数の義歯の形態における図６からの部品を含み、そのボア内には、ある要素が図１の軸方向リミットストップ装置によって保持される、本発明に従ったアセンブリの特定の実施態様の、断面平面Ａ−Ａでの詳細な断面図である。
【図９】図８の断面平面Ａ−Ａに対して垂直な断面平面Ｂ−Ｂにおいて見られるときの、歯科インプラントの第１の変形の上での、図８からのアセンブリの他の詳細な断面図である。
【図１０】図８及び９の断面平面Ａ−Ａ及びＢ−Ｂに対して垂直な断面平面Ｃ−Ｃにおいて見られるときの、貫通固定される多数の義歯の形態における図６からの部品のボアの詳細な断面図である。
【図１１】図８及び９からの貫通固定される多数の義歯の形態における、部品のボア内に保持される要素の側断面図である。
【図１２】図１１からの要素の側面図である。
【図１３】図１１からの要素の斜視図である。
【図１４】取付け工具の管状スリーブの断面図である。
【図１５】図１４からの管状スリーブの遠位端の図である。
【図１６】図１からの軸方向リミットストップ装置の及び取付け工具のシャフトの、図１４からの管状スリーブの側面図である。
【図１７】図１６の方向に対して垂直な方向において見られるときの、図１６の要素の他の側面図である。
【図１８】図１６の要素の協働を示す詳細な側断面図である。
【図１９】図１６の要素の協働を示す詳細な側断面図である。
【図２０】図１からの軸方向リミットストップ装置を貫通固定される多数の義歯の形態における図６からの部品のボア内に適合させるための、図１４からの管状スリーブの及び図１６からの長手シャフトの使用を示す斜視図である。
【図２１】図１からの軸方向リミットストップ装置を、貫通固定される多数の義歯の形態における図６からの部品のボア内に適合させるための、図１４からの管状スリーブの及び図１６からの長手シャフトの使用を示す斜視図である。
【図２２】図８の断面平面Ａ−Ａに対して垂直な断面平面Ｂ−Ｂにおいて見られるときの、歯科インプラントの第２の変形の上の、図８からのアセンブリの他の詳細な断面図である。
【発明を実施するための形態】
【００３５】
図１乃至５は、本発明に従ったアセンブリ１００の特定の実施態様の製造のために意図される軸方向リミットストップ装置１の実施例を描写している（アセンブリ１００を図８、９及び２２中により具体的に見ることができる）。軸方向リミットストップ装置１は一体成形品（１つの部品）であり、中心軸Ｉ−Ｉについて回転の対称性を有し且つ近位端２ａと遠位端２ｂとの間で中心軸Ｉ−Ｉに沿って延びる環状リング２を含む。２つの角度部分３及び４（角張った部分）が、環状リング２の遠位端２ｂに接続される第１の端３ａ及び４ａと第２の自由端３ｂ及び４ｂとの間で円弧において展開する。角度部分３及び４は、それらの第１の端３ａ及び４ａから開始して、突出位置に恒久的に弾性的に戻されることによって、（図１乃至５において実線において例示する）少なくとも１つの突出位置と（図４に破線において例示する）引込位置との間で、中心軸Ｉ−Ｉに対して垂直な１つの同じ横断平面Ｐ１において、変形によって部分的に径方向に移動可能である。
【００３６】
破線において図４に例示するように、引込位置において、角度部分３及び４は、環状リング２の外側円筒形表面に続くシリンダＣ１の容積内に含められる。突出位置において、角度部分３及び４の自由端３ｂ及び４ｂは、環状リング２の外側円筒形表面に続くシリンダＣ１の容積を越えて突出する。
【００３７】
角度部分３及び４の第１の端３ａ及び４ａ並びに環状リング２の遠位端２ｂが、中心軸Ｉ−Ｉと平行に延びるスペーサ５及び６によって接続されることが、図１及び２により具体的に見られる。よって、角度部分３及び４は、中心軸Ｉ−Ｉに沿って環状リング２の遠位端２ｂから離間した状態に維持される。
【００３８】
中心軸Ｉ−Ｉに対して垂直に、角度部分３及び４は、第１の端３ａ及び４ａから第２の自由端３ｂ及び４ｂに向かって減少する厚さを有することが、図５により具体的に見られる。より正確には、角度部分３及び４は、それらの第１の端３ａ及び４ａ付近に、それらの第２の自由端３ｂ及び４ｂ付近の径方向の厚さｅ２よりも大きい径方向の厚さｅ１を有する。角度部分３及び４の厚さは、ｅ１からｅ２に進行的に減少する。
【００３９】
軸方向リミットストップ装置１は、回転において駆動するための凹み７を含み、環状リング２が中心軸Ｉ−Ｉについて回転において駆動させられるのを可能にすることが、図１乃至３により具体的に見られる。この凹み７は、環状リング２の近位端２ａの面８に形成される。より詳細には、凹み７は、２つの正反対のノッチ９及び１０を有する。
【００４０】
図１乃至５における軸方向リミットストップ装置１は、部品１１のボア内に要素１４を保持するために、部品１１のボア内に配置されることが意図される。
【００４１】
歯科の分野において、軸方向リミットストップ装置１は、図１１乃至１３に例示するネジのようなネジ１４をその中に保持するために、図６及び７に例示する貫通固定される多数の義歯１１のような義歯１１の形状における部品内に形成されるボア１７内に配置されることが意図される。貫通固定される多数の義歯１１は、湾曲した人工器官回廊ＣＰに沿って平面Ｃ−Ｃ内に延びる。
【００４２】
図６及び７に例示する貫通固定される多数の義歯１１は、２つの歯科インプラント１２及び１３に取り付けられ且つ固定されることが意図され、２つの歯科インプラント自体は、患者の上顎骨又は下顎骨内に受け入れられることが意図される。これを行うために、貫通固定される多数の義歯１１は、図１１乃至１３に例示するネジのようなネジ１４を経由してインプラント１２及び１３に固定される。ネジ１４は、貫通固定される多数の義歯１１に形成されるボアと連絡するアクセス井戸１５及び１６を介して、ネジ込み工具によってアクセス可能である。これは図８及び９によってより具体的に明らかにされ、図８及び９は、図７に例示する断面平面Ａ−Ａ及びＢ−Ｂに沿ってそれぞれ見られる断面図である。
【００４３】
図８及び９では、貫通固定される多数の義歯１１が、入口オリフィス１８を備える近位端１７ａと遠位端１７ｂとの間で第１の長手軸ＩＩ−ＩＩに沿って延びるボア１７を有する、ことが見られる。軸方向リミットストップ装置１は、その中心軸Ｉ−Ｉが第１の長手軸ＩＩ−ＩＩと同心の状態で、部品ボア１７内に受け入れられる。軸方向リミットストップ装置１と、ここでは貫通固定される多数の義歯の形態にある部品１１とは、アセンブリ１００を形成する。
【００４４】
部品ボア１７は、部品ボア１７の入口オリフィス１８から延びる第１の部品ボア部分Ｔ１７１と、第１の部品ボア部分Ｔ１７１から続き且つ部品ボア１７の遠位端１７ｂに向かって延びる第２の部品ボア部分Ｔ１７２とを有する。部品ボア１７は、追加的に、第２の部品ボア部分Ｔ１７２から続き且つ部品ボア１７の遠位端１７ｂまで延びる第３の部品ボアＴ１７３を有する。
【００４５】
第１の部品ボア部分Ｔ１７１は、環状リング２の外径Ｄ２と等しい或いはそれよりも僅かに大きい直径Ｄ１を備える円形断面を有する。
【００４６】
第２の部品ボア部分Ｔ１７２は、第１の部品ボア部分Ｔ１７１の外側円筒形表面に続くシリンダＣ２の容積から出て第１の長手軸ＩＩ−ＩＩに対して径方向に延びる２つの保持シート１９及び２０を有する。保持シート１９及び２０は、突出位置において軸方向リミットストップ装置１の角度部分３及び４を受け入れることができる。保持シート１９及び２０の形状を図１０においてより具体的に見ることができ、図１０は、図８の断面平面Ｃ−Ｃに沿う断面図である。
【００４７】
図８及び１０では、保持シート１９及び２０が、第１の長手軸ＩＩ−ＩＩに対して実質的に垂直な横断平面Ｐ２に沿って延びる近位保持面２１及び２２を有する。換言すれば、近位保持面２１及び２２は、図８に例示する断面平面Ｃ−Ｃと実質的に平行な横断平面Ｐ２内に延びる。近位保持面２１及び２２は、第１の部品ボア部分Ｔ１７１の円筒形側壁Ｔ１７１ａに接続される。
【００４８】
第２の部品ボア部分Ｔ１７２は、第１の部品ボア部分Ｔ１７１の円筒形側面Ｔ１７１ａの連続において延びる側面Ｔ１７２ａの２つの角度部分２３及び２４を有する。角度部分２３及び２４は、図１０中に破線によって示す直径線(diametric  lines)内に含められる。角度部分２３及び２４は、隣接する保持シート１９及び２０を分離する。
【００４９】
保持シート１９及び２０は、人工器官回廊ＣＰに実質的に沿って第１の長手軸ＩＩ−ＩＩに対して径方向に展開する。従って、保持リング１９及び２０を穿孔するために利用可能なより多くの空間が径方向にあり、それにより、軸方向リミットストップ装置１の軸方向保持を増大させる。
【００５０】
部品（貫通固定される多数の義歯１１）のボア１７内に配置されることが意図される要素が、図１１乃至１３により具体的に例示されている。この要素はネジ１４であり、従って、それを以下に要素又はネジ１４と同義的に呼ぶ。要素１４は、
−  環状リング２の内径Ｄ３以下の寸法を有する断面を備える近位部分２５と、
−  環状リング２の内径Ｄ３よりも大きいが、第１の部品ボア部分Ｔ１７１の直径Ｄ１以下である、少なくとも１つの寸法を有する断面を備える、遠位部分２６と、
―  要素の近位部分２５と要素の遠位部分２６とを接合する肩部２７（ショルダ）と、
を有する。
【００５１】
既に説明したように、図１１乃至１３に例示する要素は、ネジ１４であり、その頭部２８（ヘッド）は、要素の遠位部分２６を含み、そのネジ山付きシャンク２９は、要素の近位部分２５を少なくとも部分的に構成する。
【００５２】
図８及び９に例示するように、その角度部分３及び４が保持シート１９及び２０内に係入させられた状態（図８）で、軸方向リミットストップ装置１がボア１７内に係入されるとき、ネジ１４の遠位要素部分２６は、肩部２７に沿って角度部分３及び４の第１の端３ａ及び４ａを圧迫する。第１の端３ａ及び４ａに対する肩部２７の軸方向支承(axial  bearing)及び近位面２１及び２２に対する第２の自由端３ｂ及び４ｂの軸方向支承は、ネジ１４がここでは貫通固定される多数の義歯１１によって提示される部品のボア１７内に軸方向に保持されるのを可能にする。
【００５３】
次に、貫通固定される多数の義歯１１を歯科インプラント１２の上に固定するために、アクセス井戸１５内に係入するネジ込み工具を用いて、ネジ１４を中心軸Ｉ−Ｉについて回転において駆動することによって、ネジ１４を操作し得る。
【００５４】
ネジ１４が過剰な回転トルクの適用によって或いはいずれかの他の手段によって損傷させられるならば、ネジ１４をボア１７から引き抜き得ることが必要である。
【００５５】
これを行うために、軸方向リミットストップ装置１は、角度部分３及び４を第２の部品ボア部分Ｔ１７２の側面の角度部分２３及び２４に対して導くような方法において、（ノッチ９及び１０を用いて）第１の長手軸ＩＩ−ＩＩについて回転させられる。よって、角度部分３及び４は、角度部分３及び４がもはや保持シート１９及び２０内に径方向に突出しないように、引込位置に戻される。次に、部品ボア１７のオリフィス１８の方向における第１の長手軸ＩＩ−ＩＩに沿う軸方向並進の単純な動作によって、第１の部品ボア部分Ｔ１７１を介して、軸方向リミットストップ装置１を部品ボア１７から引き抜き得る。
【００５６】
図１４乃至１７は、軸方向リミットストップ装置１を貫通固定される多数の義歯１１のボア１７内に取り付けるための取付け工具３０を例示している。図１４及び１５からより具体的に見られるように、取付け工具３０は、遠位オリフィス３３と近位オリフィス３４との間で第２の長手軸ＩＩＩ−ＩＩＩに沿って延びる中央ボア３２を備える管状スリーブ３１を有する。追加的に、以下のことも見られる。即ち、
−  管状スリーブ３１の中央ボア３２は、遠位オリフィス３３から延びるスリーブ遠位ボア部分Ｔ３１０と、管状スリーブ遠位ボア部分Ｔ３１０に続いて近位オリフィス３４に向かって延びる管状スリーブ中間ボア部分Ｔ３１１と、管状スリーブ中間ボア部分Ｔ３１１から続いて近位オリフィス３４まで延びる環状スリーブ近位ボア部分Ｔ３１２と有し、
−  管状スリーブ中間ボア部分Ｔ３１１は、環状リング２の外径Ｄ２と等しいか或いはそれよりも僅かに大きい直径Ｄ４の円形断面を有し、
−  管状スリーブ遠位ボア部分Ｔ３１０は、管状スリーブ中間ボア部分Ｔ３１１の円筒形表面に続くシリンダＣ３の容積から出て第２の長手軸ＩＩＩ−ＩＩＩに対して軸方向に延びる２つの保持シート３５及び３６を有し、保持シート３５及び３６は、軸方向リミットストップ装置１の角度部分３及び４を突出位置において受けることができる。
【００５７】
保持シート３５及び３６の各々は、第２の長手軸ＩＩＩ−ＩＩＩに対して実質的に垂直な横断平面Ｐ３に沿って延び且つ管状スリーブ中間ボア部分Ｔ３１１の円筒形側壁に繋がる、近位保持面３７又は３８をそれぞれ有する。
【００５８】
管状スリーブ遠位ボア部分Ｔ３１０は、管状スリーブ中間ボア部分Ｔ３１１の円筒形側面の続きにおいて延びる側面の２つの角度部分３９及び４０を有する。角度部分３９及び４０は、図１５中に破線によって示す直径線内に含められる。各保持シート３５及び３６は、角度部分３９又は４０によって隣接する保持シート３５又は３６から分離される。
【００５９】
取付け工具３０は、同様に、第３の長手軸ＩＶ−ＩＶに沿って延びる長手シャフト４１を有し、管状スリーブ中間ボア部分Ｔ３１１の直径Ｄ４と実質的に等しい直径Ｄ５の円形断面を有する遠位部分Ｔ４１０を備える。長手シャフトの遠位部分Ｔ４１０は、管状スリーブ中間ボア部分Ｔ３１１の及び管状スリーブ遠位ボア部分Ｔ３１０の（第２の長手軸ＩＩＩ−ＩＩＩに沿う）長さの合計よりも大きい長さＬ１だけ、第３の長手軸ＩＶ−ＩＶに沿って延びる。よって、管状スリーブ中間ボア部分Ｔ３１１及び管状スリーブ遠位ボア部分Ｔ３１０内への長手シャフトの遠位部分Ｔ４１０の係入は、管状スリーブから、管状スリーブ遠位ボア部分Ｔ３１０内に挿入される軸方向リミットストップ装置１を排出し得る。
【００６０】
軸方向リミットストップ装置１を第２の長手軸ＩＩＩ−ＩＩＩについての管状スリーブ３１に対する回転において動かすために、以下のことが見られる。即ち、
−  長手シャフトの遠位部分Ｔ４１０は、自由端Ｔ４１０ａに、環状リング２の近位端２ａを圧迫することが意図される遠位面４２を有し、
−  長手シャフトの遠位部分Ｔ４１０の遠位面４２は、隆起領域、具体的には、管状スリーブ３１に対してその中心軸Ｉ−Ｉについての回転において環状リング２を駆動させるために（ノッチ９及び１０内に係入することによって）環状リング２の近位端２ａの面８に形成される凹み７と協働し得る、２つの舌部４３及び４４を有する。貫通固定される多数の義歯１１のボア１７内に軸方向リミットストップ装置１を挿入し且つ固定するための取付け工具３０の使用を、図１６乃至２０の助けを得て以下に説明する。
【００６１】
軸方向リミットストップ装置１は、第１に、図１６及び１７に矢印４５によって例示するように、並進動作で、管状スリーブ遠位ボア部分Ｔ３１０内に挿入される。この挿入中、角度部分３及び４は、突出位置において、保持シート３５及び３６内に受け入れられるのに対し、環状リング２は、管状スリーブ中間ボア部分Ｔ３１１内に受け入れられる。
【００６２】
この管状スリーブ３１の及び軸方向リミットストップ装置１の組立後、長手シャフト４１は、図１８及び１９に矢印４６によって例示する動きに従って、近位オリフィス３４から遠位オリフィス３３に向かって、管状スリーブ３１の中央ボア３２内に挿入される。
【００６３】
長手シャフト４１は、図１９に例示するように、舌部４３及び４４がノッチ９及び１０内に係入するまで、中央ボア３２内に挿入される。
【００６４】
次に、開業医は、角度部分３及び４を管状スリーブ遠位ボア部分Ｔ３１０の角度部分３９及び４０と一致させるような方法において、長手シャフト４１を（中心軸Ｉ−Ｉ及び第３の長手軸ＩＶ−ＩＶと一致する）第２の長手軸ＩＩ−ＩＩについての回転において移動させる（その動きを図１９に矢印４７によって示す）。よって、角度部分３及び４は引込位置に戻される。
【００６５】
次に、（その角度部分３及び４が引込位置にある状態の）軸方向リミットストップ装置１、管状スリーブ３１、及び長手シャフト４１によって形成されるアセンブリは、図２０に例示するように、中心軸Ｉ−Ｉ、第２の長手軸ＩＩＩ−ＩＩＩ、及び第３の長手軸ＩＶ−ＩＶが第１の長手軸ＩＩ−ＩＩと一致した状態で配置される。
【００６６】
次に、軸方向リミットストップ装置１１、管状スリーブ３１、及び長手シャフト４１によって形成されるアセンブリは、図２１に例示するように、管状スリーブ３１の遠位オリフィス３３が部品ボア１７の入口オリフィス１８と接触するようになるまで移動させられる。次に、長手シャフト４１は、矢印４８によって例示する軸方向の並進動作に従って、管状スリーブ３１に対して移動させられる。次に、（その角度部分３及び４が引込位置にある状態の）長手シャフト４１は、角度部分３及び４が第２の部品ボア部分Ｔ１７２と（径方向に）一致するようになるまで、第１の部品ボア部分Ｔ１７１を通じて軸方向リミットストップ装置１を押す。その瞬間、角度部分３及び４が同様に保持シート１９及び２０と（径方向に）一致して配置されるならば、それらは突出位置に弾性的に戻され、保持シート１９及び２０内に径方向に貫通する。よって、軸方向リミットストップ装置１は、図８及び９に例示するように、ボア１７内に十分に装着される。角度部分３及び４が角度部分２３及び２４と一致して配置され、よって、第２の部品ボア部分Ｔ１７２内の引込位置に留まる場合には、角度部分３及び４を保持シート１９及び２０と一致させ、そして、突出位置への角度部分の移動を許容するような方法において、長手シャフト４１によって矢印４９によって例示する回転動作を軸方向リミットストップ装置１に適用し得る。
【００６７】
ボア１７内への軸方向リミットストップ装置１の挿入の前に、ネジ１４をボア１７内に装着し得る。代替的に、軸方向リミットストップ装置１が管状スリーブ遠位ボア部分Ｔ３１０内に挿入される前に、肩部２７が角度部分３及び４を圧迫するようになるまで、軸方向リミットストップ装置１を通じてネジを挿入することも可能である。その場合、それは、管状スリーブ３１と長手シャフト４１との間で、図２１の矢印４８によって例示する相対的な並進動作の間にボア１７内に軸方向に同時に押される、ネジ及び軸方向リミットストップ装置１によって形成されるサブアセンブリである。
【００６８】
軸方向リミットストップ装置１を分解するために、軸方向リミットストップ装置１は、角度部分３及び４が部品ボア１７の角度部分２３及び２４との協働によって引込位置に戻されるまで、中心軸Ｉ−Ｉについての回転において移動させられる。これは長手シャフト４１並びにその舌部４３及び４４を用いることによって達成され得る。
【００６９】
次に、アクセス井戸１５を通じることによって軸方向リミットストップ装置１（及び／又はネジ１４）を圧迫するプッシャー工具（例えば、ロッド）によって、軸方向リミットストップ装置１（及びそのネジ１４）をボア１７から入口オリフィス１８の方向に押し得る。
【００７０】
図９に例示する第１の変形において、歯科インプラント１２は、ほんの１つの部品（一体成形品）であるが、その上方端１２ａは、少なくとも部分的に粘膜を通じることが意図される。
【００７１】
図２２に例示する第２の変形において、歯科インプラント１２は、骨性アンカ１２０と経粘膜拡張部１２１とで構成される２つの部品である。経粘膜拡張部１２１は、少なくとも部分的に粘膜を通じることが意図される上方端１２１ａを有する。
【００７２】
本発明は明示的に記載した実施態様に限定されず、むしろ本発明は付属の請求項の範囲内に含まれる異なる変形及び一般化を含む。
【符号の説明】
【００７３】
１          軸方向リミットストップ装置  (axial  limit  stop  device)
２          環状リング  (annular  ring)
２ａ        近位端  (proximal  end)
２ｂ        遠位端  (distal  end)
３          角度部分  (angular  portion)
３ａ        第１の端  (first  end)
３ｂ        自由端  (free  end)
４          角度部分  (angular  portion)
４ａ        第１の端  (first  end)
４ｂ        自由端  (free  end)
５          スペーサ  (spacer)
６          スペーサ  (spacer)
７          凹み  (indentation)
８          面  (face)
９          ノッチ  (notch)
１０        ノッチ  (notch)
１１        部品／義歯  (component/dental  prosthesis)
１２        歯科インプラント  (dental  implant)
１２ａ      上方端  (upper end)
１３        歯科インプラント  (dental  implant)
１４        ネジ  (screw)
１５        アクセス井戸  (access  well)
１６        アクセス井戸  (access  well)
１７        部品ボア  (component  bore)
１７ａ      近位端  (proximal  end)
１７ｂ      遠位端  (distal  end)
１８        入口オリフィス  (inlet  orifice)
２１        近位保持面  (proximal  retaining  face)
２２        近位保持面  (proximal  retaining  face)
２３        角度部分  (angular  portion)
２４        角度部分  (angular  portion)
２５        近位部分  (proximal  portion)
２６        遠位部分  (distal  portion)
２７        肩部  (shoulder)
２８        頭部  (head)
２９        シャンク  (shank)
３０        取付け工具  (mounting  tool)
３１        管状スリーブ  (tubular  sleeve)
３２        中央ボア  (central  bore)
３３        遠位オリフィス  (distal  orifice)
３４        近位オリフィス  (proximal  orifice)
３５        保持シート  (retaining  seat)
３６        保持シート  (retaining  seat)
３７        近位保持面  (proximal  retaining  face)
３８        近位保持面  (proximal  retaining  face)
３９        角度部分  (angular  portion)
４０        角度部分  (angular  portion)
４１        長手シャフト  (longitudinal  shaft)
４２        遠位面  (distal face)
４３        舌部  (tongue)
４４        舌部  (tongue)
４５        矢印  (arrow)
４６        矢印  (arrow)
４７        矢印  (arrow)
４８        矢印  (arrow)
４９        矢印  (arrow)
１００      アセンブリ  (assembly)
１２０      骨性アンカ  (osseous  anchor)
１２１      経粘膜拡張部  (transmucosal  extension)
１２１ａ    上方端  (upper end)
ｅ１        厚さ  (thickness)
ｅ２        厚さ  (thickness)
Ｔ１７１    第１の部品ボア部分  (first  component  bore  portion)
Ｔ１７１ａ  円筒形側壁  (cylindrical  lateral  surface)
Ｔ１７２    第２の部品ボア部分  (second  component  bore  portion)
Ｔ１７２ａ  側面  (lateral  surface)
Ｔ１７３    第３の部品ボア  (third component bore)
Ｔ３１０    管状スリーブ遠位ボア部分  (tubular  sleeve  distal  bore  portion)
Ｔ３１１    管状スリーブ中間ボア部分  (tubular  sleeve  intermediate  bore  portion)
Ｔ３１２    管状スリーブ近位ボア部分  (tubular  sleeve  proximal  bore  portion)
Ｔ４１０    遠位部分  (distal portion)
Ｔ４１０ａ  自由端  (free end)
Ｃ１        シリンダ  (cylinder)
Ｃ２        シリンダ  (cylinder)
Ｃ３        シリンダ  (cylinder)
ＣＰ        人工器官回廊ＣＰ(prosthetic  corridor)
Ｄ１        直径  (diameter)
Ｄ２        外径  (external diameter)
Ｄ３        内径  (internal diameter)
Ｄ４        直径  (diameter)
Ｐ１        横断平面  (transverse plane)
Ｐ２        横断平面  (transverse plane)
Ｐ３        横断平面  (transverse plane)
【図１】
0006804852.tif 000002
【図２】
0006804852.tif 000003
【図３】
0006804852.tif 000004
【図４】
0006804852.tif 000005
【図５】
0006804852.tif 000006
【図６】
0006804852.tif 000007
【図７】
0006804852.tif 000008
【図８】
0006804852.tif 000009
【図９】
0006804852.tif 000010
【図１０】
0006804852.tif 000011
【図１１】
0006804852.tif 000012
【図１２】
0006804852.tif 000013
【図１３】
0006804852.tif 000014
【図１４】
0006804852.tif 000015
【図１５】
0006804852.tif 000016
【図１６】
0006804852.tif 000017
【図１７】
0006804852.tif 000018
【図１８】
0006804852.tif 000019
【図１９】
0006804852.tif 000020
【図２０】
0006804852.tif 000021
【図２１】
0006804852.tif 000022
【図２２】
0006804852.tif 000023